(57)【要約】      （修正有）【課題】必要な部品点数を増加させることなく、簡易な方法により局所電磁波吸収率ＳＡＲを低減させる。【解決手段】筐体の表側上部に表示部ＬＣＤ２２を有するとともに表側下部に操作部（キー操作部２３）を有し、筐体の上部に内蔵型のアンテナユニット２４を備える。表示部と操作部との間の位置にイヤレシーバ２１を配置した。またアンテナユニット２４は内蔵型のアンテナユニットである。【選択図】図５
2006222604.tif 000002
【特許請求の範囲】
【請求項１】
筐体の表側上部に表示部を有するとともに表側下部に操作部を有し、筐体の上部にアンテナユニットを備える携帯電話機において、前記表示部の上部より低い位置にイヤレシーバを配置したことを特徴とする携帯電話機。
【請求項２】
前記表示部と前記操作部との間の位置にイヤレシーバを配置したことを特徴とする請求項１記載の携帯電話機。
【請求項３】
前記アンテナユニットは内蔵型のアンテナユニットであることを特徴とする請求項１記載の携帯電話機。
【発明の詳細な説明】
【技術分野】
【０００１】
本発明は、筐体上部にアンテナユニットを備えた携帯電話機に関するものである。
【背景技術】
【０００２】
近年、携帯電話機は広く普及し、日常生活の上でなくてはならない道具の一つになっている。
【０００３】
図１（ａ）（ｂ）にそれぞれ、従来のいわゆるスティック型の携帯電話機の表側および裏（背面）側の内部構成を示す。図１（ａ）から分かるように、携帯電話機１００は、回路基板１０の表側に上から順にイヤレシーバ１１、液晶ディスプレイデバイス（ＬＣＤ）１２、テンキー等を含む各種キーを含むキー操作部１３、マイク１６が配置されている。また、図１（ｂ）から分かるように、回路基板１０の裏側には上部側に内蔵型のアンテナユニット１４、下部側にバッテリ１５が配置されている。折り畳み型の携帯電話機については筐体が上下に分かれるが、イヤレシーバ、ＬＣＤ、キー操作部、マイクの配置順は同様である。
【０００４】
携帯電話機１００では電波による無線通信を行うため、電磁波の放射が避けられない。これに関連して、電磁波の人体への吸収量を示す指標の一つとして、人体の特定部分に加えられた電磁波エネルギーの吸収率である局所電磁波吸収率（ＳＡＲ：Specific Absorption Rate）が用いられる。日本国内では、総務省令で携帯電話機などの機器に対して、局所ＳＡＲが２Ｗ／Ｋｇ（１０ｇ平均）という許容値を超えないことが義務づけられている。
【０００５】
図２に示すように、利用者が携帯電話機を手に持ってイヤレシーバ１１の部分を耳３１に当てて用いる通話時にアンテナユニット１４が最も人体（頭部２０）に近接し、人体への影響が大きくなる。
【０００６】
このような電磁波の放射によるＳＡＲを低減させる技術として、磁性体を用いる方法（特許文献１、２）や、導電性平板を用いる方法（特許文献３、４）が提案されている。
【特許文献１】特開２０００−１０１３３８号公報
【特許文献２】特開２００１−３２０４５７号公報
【特許文献３】特開２００２−２６６２７号公報
【特許文献４】特開２００２−３５３７３３号公報
【発明の開示】
【発明が解決しようとする課題】
【０００７】
上記従来の技術では、ＳＡＲを低減させるために磁性体や金属板などの追加部品が必要となり、携帯電話機のコスト増および重量増の原因となるという問題があった。
【０００８】
本発明はこのような背景においてなされたものであり、その目的は、必要な部品点数を増加させることなく、簡易な方法によりＳＡＲを低減させることができる携帯電話機を提供することにある。
【課題を解決するための手段】
【０００９】
本発明による携帯電話機は、筐体の表側上部に表示部を有するとともに表側下部に操作部を有し、筐体の上部にアンテナユニットを備える携帯電話機において、前記表示部の上部より低い位置にイヤレシーバを配置したことを特徴とする。このように、イヤレシーバの配置位置を従来の配置位置から変更するだけで、利用者は通話時にイヤレシーバの放音口を耳に当てるように頭部に対する携帯電話機の位置を調整するため、従来構成と比べて頭部に対する携帯電話機の位置が必然的に変化する。その結果、ＳＡＲが低減される。
【００１０】
本発明の一態様として、イヤレシーバは前記表示部と前記操作部との間の位置に配置することができる。
【００１１】
本発明は前記アンテナユニットが内蔵型である場合に特に有用である。
【発明の効果】
【００１２】
本発明によれば、必要な部品点数を増加させることなく、イヤレシーバの配置位置を従来の配置位置から変更するだけで利用者の通話時のＳＡＲを低減することができる。
【発明を実施するための最良の形態】
【００１３】
以下、本発明の実施の形態について説明する。本発明では携帯電話機としていわゆるスティック型のものを例として説明する。アンテナユニットは図１（ｂ）に示したように背面上部にあるものとする。スティック型でなく、上側筐体と下側筐体からなる折り畳み型やスライド型であっても、上側筐体の上部にアンテナユニットが位置するものであれば、本発明を適用可能である。
【００１４】
図３に本実施の形態の携帯電話機２００の表側の内部構成を示す。回路基板２０の表側に上から順に、表示部としての液晶ディスプレイデバイス（ＬＣＤ）２２、イヤレシーバ２１、テンキー等を含む各種キーを含むキー操作部２３、マイク２６が配置されている。このように、本実施の形態ではイヤレシーバ２１をＬＣＤ２２とキー操作部１３との間に配置する。回路基板２０の裏側の内部構成については図１（ｂ）と同様、上部側に内蔵型のアンテナユニット２４、下部側にバッテリ２５が配置されている。
【００１５】
図４（ａ）と図４（ｂ）に、従来と本発明の携帯電話機の構成を比べ易いようにその表面側の部品配置を並べて示す。両図から分かるように、従来の携帯電話機１００のイヤレシーバ１１、ＬＣＤ１２、キー操作部１３、アンテナユニット１４、バッテリ１５等の部品は、本実施の形態の携帯電話機２００のイヤレシーバ２１、ＬＣＤ２２、キー操作部２３、アンテナユニット２４（図５）、バッテリ２５（図５）と同じであり、イヤレシーバとＬＣＤの配置位置が異なるのみである。すなわち、携帯電話機１００においてイヤレシーバ１１がアンテナユニット１４の上部側に位置していたものを、携帯電話機２００ではアンテナユニット２４の下部側に位置させている。
【００１６】
携帯電話機１００においてＳＡＲの高くなる場所（ホットスポット）１８は、図４（ａ）に示すように、その筐体のほぼ中央の部分にあり、これは携帯電話機２００におけるホットスポット２８の位置と変わらない。すなわち、携帯電話機１００でのホットスポット１８の位置はイヤレシーバ１１より下部側にあるのに対し、携帯電話機２００のホットスポット２８はイヤレシーバ２１より上方に位置する。
【００１７】
通常、マイク１６は利用者の口からある程度離れてもその利用者の発する音声を十分に捕らえることができるのに対し、イヤレシーバ２１（１１）から放出される音の強さはその放音口から離れるにつれて急激に低下する。このため、利用者は、通話時にマイク２６の位置よりもイヤレシーバ２１の位置を基準として携帯電話機の位置を決定する。すなわち、イヤレシーバ２１の放音口に耳３１を押し当てる位置で携帯電話機２００を使用することになる。その結果、通話時には、図５に示すように、携帯電話機２００の頭部３０に対する位置は携帯電話機１００のそれより高い位置に来る。これにより、携帯電話機１００のホットスポット１８（図４（ａ））が利用者の頭部３０にほぼ接していたのに対し、携帯電話機２００のホットスポット２８は耳より上側にずれ、頭部３０から離れることになる。そのため、ＳＡＲが小さくなる。
【００１８】
それぞれ携帯電話機１００と携帯電話機２００のような、上部設置内蔵アンテナを用いたスティック型のＰＤＣ８００ＭＨｚ帯の携帯電話機について実際にＳＡＲを測定したところ、次のような結果を得た。
【００１９】
携帯電話機１００のＳＡＲ：１ｇ平均１．２７Ｗ／ｋｇ、１０ｇ平均０．８６Ｗ／ｋｇ
携帯電話機２００のＳＡＲ：１ｇ平均１．０１Ｗ／ｋｇ、１０ｇ平均０．６７Ｗ／ｋｇ
【００２０】
この結果から、携帯電話機１００に比べ携帯電話機２００の方がＳＡＲが低減されていることが分かる。
【００２１】
以上、本発明の好適な実施の形態について説明したが、本発明の範囲を逸脱することなく種々の変形、変更を行うことが可能である。例えば、イヤレシーバの位置は表示部とキー操作部との間に配置したが、従来のような筐体上部の配置位置より低い位置に配置すれば相応の効果は得られる。例えば、表示部の横や操作部の中であってもよい。携帯電話機にはいわゆる簡易携帯電話機（ＰＨＳ）も含む。
【図面の簡単な説明】
【００２２】
【図１】従来の携帯電話機の表側および裏（背面）側の内部構成を示す図（ａ）（ｂ）である。
【図２】従来の携帯電話機の通話時の人体との関係を示す図である。
【図３】本発明の実施の形態に係る携帯電話機の表側の内部構成を示す図である。
【図４】従来と本発明の携帯電話機の構成を比べ易いようにその表面側の部品配置を並べて示した図である。
【図５】本発明の実施の形態に係る携帯電話機の通話時の人体との関係を示す図である。
【符号の説明】
【００２３】
１０…回路基板、１１…イヤレシーバ、１３…キー操作部、１４…アンテナユニット、１５…バッテリ、１６…マイク、１８…ホットスポット、２０…回路基板、２０…頭部、２１…イヤレシーバ、２３…キー操作部、２４…アンテナユニット、２５…バッテリ、２６…マイク、２８…ホットスポット、３０…頭部、３１…耳、１００…携帯電話機、２００…携帯電話機
【図１】
2006222604.tif 000003
【図２】
2006222604.tif 000004
【図３】
2006222604.tif 000005
【図４】
2006222604.tif 000006
【図５】
2006222604.tif 000007